(57)【要約】【課題】作業手袋を装着したままで鉛筆やカッターなどの作業用品を容易に取り出すことができ、また、容易に収納することのできる収納部を、強固に設けた作業手袋を提供する。【解決手段】手袋本体１の所定箇所に、鉛筆、カッターあるいは手ばさみなどの作業用品Ｓの一部または全部を取出し自在に収納することのできる収納部１０を設けた作業手袋であって、収納部１０を、手袋本体１の上面に補強部材２を設けた所定箇所に一つの開孔部３を形成し、その開孔部３に略板状の収納部材片１１の両端部を差し込んで固定して略筒状に形成し、収納部材片１１で上部材１０ａと底板部材１０ｂを形成し、補強部材２の一部で受け部１０ｃを形成する。【選択図】        図１
2006193845.tif 000002
【特許請求の範囲】
【請求項１】
手袋本体（１）の所定箇所に，鉛筆，カッターあるいは手ばさみなどの作業用品（Ｓ）の一部または全部を取出し自在に収納することのできる収納部（１０）を設けた作業手袋であって、
前記収納部を，前記手袋本体の上面に補強部材（２）を設けた所定箇所に一つの開孔部（３）を形成し，その開孔部に略板状の収納部材片（１１）の両端部を差し込んで固定して略筒状に形成し、
前記収納部材片で上部材（１０ａ）と底板部材（１０ｂ）を形成し，前記補強部材の一部で受け部（１０ｃ）を形成してなる収納部付き作業手袋。
【請求項２】
手袋本体（１）の所定箇所に，鉛筆，カッターあるいは手ばさみなどの作業用品（Ｓ）の一部または全部を取出し自在に収納することのできる収納部（１０）を設けた作業手袋であって、
前記収納部を，前記手袋本体の上面に補強部材（２）を設けた所定箇所に二つの開孔部（３）を形成し，その開孔部に略板状の収納部材片（１１）の両端部を差し込んで固定して形成し、
前記収納部材片で上部材（１０ａ）を形成し，前記手袋本体の二つの開孔部の間部分で底板部材（１０ｂ）を形成し，前記補強部材の一部で受け部（１０ｃ）を形成してなる収納部付き作業手袋。
【請求項３】
手袋本体（１）の所定箇所に，鉛筆，カッターあるいは手ばさみなどの作業用品（Ｓ）の一部または全部を取出し自在に収納することのできる収納部（１０）を設けた作業手袋であって、
前記収納部を，前記手袋本体の上面に補強部材（２）を設けた所定箇所に二つの開孔部（３）を形成し，その開孔部に略板状の収納部材片（１１）を挿通して固定して形成し、
前記手袋本体の二つの開孔部の間部分で上部材（１０ａ）を形成し，前記収納部材片で底板部材（１０ｂ）を形成し，前記収納部材片または前記補強部材の一部で受け部（１０ｃ）を形成してなる収納部付き作業手袋。
【請求項４】
手袋本体（１）の所定箇所に，鉛筆，カッターあるいは手ばさみなどの作業用品（Ｓ）の一部または全部を取出し自在に収納することのできる収納部（１０）を設けた作業手袋であって、
前記収納部を，前記手袋本体の上面に補強部材（２）を設けた所定箇所に二つの開孔部（３）を形成し，その開孔部に略板状の収納部材片（１１）を挿通した後，筒状に固定して形成し、
前記収納部材片で上部材（１０ａ）を形成し，前記二つの開孔部の間部分で底板部材（１０ｂ）を形成し，前記補強部材の一部で受け部（１０ｃ）を形成してなる収納部付き作業手袋。
【請求項５】
手袋本体（１）の所定箇所に，鉛筆，カッターあるいは手ばさみなどの作業用品（Ｓ）の一部または全部を取出し自在に収納することのできる収納部（１０）を設けた作業手袋であって、
前記収納部を，前記手袋本体の上面に補強部材（２）を設けた所定箇所に複数の開孔部（３）を形成し，その開孔部に筒状の収納部材片（１１）を挿通して固定して形成し、
前記収納部材片で上部材（１０ａ）と底板部材（１０ｂ）を形成し，前記収納部材片または補強部材の一部で受け部（１０ｃ）を形成してなる収納部付き作業手袋。
【請求項６】
手袋本体（１）の上面に補強部材（２）を設けないでなる請求項１乃至５のいずれかに記載の収納部付き作業手袋。
【請求項７】
収納部（１０）の一部または全部を、弾力性に富み、滑り止め効果の高い材料で形成してなる請求項１乃至６のいずれかに記載の収納部付き作業手袋。
【請求項８】
収納部（１０）の一部または全部に磁性を持たせてなる請求項１乃至７のいずれかに記載の収納部付き作業手袋。
【発明の詳細な説明】
【技術分野】
【０００１】
本発明は、手袋本体の甲部等に鉛筆、ボールペン、カッターあるいは手ばさみなどの各種の作業用品を収納することのできる収納部を設けた作業手袋に関するものである。
【背景技術】
【０００２】
従来から、メリヤス製縫い合わせ手袋や編み手袋の表面に、塩ビ製やゴム製などの補強シートを貼り付けたり、液状ポリマーに浸漬して補強シートを形成した作業手袋や、一部あるいは全体を革製とした作業手袋など、あらゆる種類の作業手袋が各種の分野で広く使用されている。
【０００３】
こうしたあらゆる種類の作業手袋を使用して各種の作業を行う場合、鉛筆、ボールペン、カッターあるいは手ばさみを始めとする各種の作業用品を使用する場合が多々あるが、こうした作業用品は、一般に作業着のポケット等に収納している。
【発明の開示】
【発明が解決しようとする課題】
【０００４】
しかし、鉛筆やカッターなどの作業用品を作業着のポケット等に収納して作業を行う場合、作業手袋を装着したまま当該作業用品を取り出して使用し、使用後に再び元の場所に収納することはことは案外厄介であり、手間取る。そのため、作業手袋を外して作業用品を取り出した後、再び作業手袋を装着するといった面倒な動作が必要であった。
【０００５】
本発明はこうした問題に鑑み創案されたもので、作業手袋を装着したままで鉛筆やカッターなどの作業用品を容易に取り出すことができ、また、容易に収納することのできる収納部を設けた作業手袋を提供することを課題とする。また、収納部を、手袋本体から外れることがないように強固に取付けること等も課題とする。
【課題を解決するための手段】
【０００６】
図１乃至図１２を参照して説明する。請求項１に記載の発明は、手袋本体１の所定箇所に、鉛筆、カッターあるいは手ばさみなどの作業用品Ｓの一部または全部を取出し自在に収納することのできる収納部１０を設けた作業手袋であって、前記収納部１０を、前記手袋本体１の上面に補強部材２を設けた所定箇所に一つの開孔部３を形成し、その開孔部３に略板状の収納部材片１１の両端部を差し込んで固定して略筒状に形成し、前記収納部材片１１で上部材１０ａと底板部材１０ｂを形成し、前記補強部材２の一部で受け部１０ｃを形成してなるものである。なお、補強部材２は、ゴムや樹脂などの高分子材を貼り付けたり、塗布することによって形成することができる。また、固定手段としては、熱融着、接着剤による接着、縫合、鳩目やホック止め等がある。
【０００７】
請求項２に記載の発明は、手袋本体１の所定箇所に、鉛筆、カッターあるいは手ばさみなどの作業用品Ｓの一部または全部を取出し自在に収納することのできる収納部１０を設けた作業手袋であって、前記収納部１０を、前記手袋本体１の上面に補強部材２を設けた所定箇所に二つの開孔部３を形成し、その開孔部３に略板状の収納部材片１１の両端部を差し込んで固定して形成し、前記収納部材片１１で上部材１０ａを形成し、前記手袋本体１の二つの開孔部３の間部分で底板部材１０ｂを形成し、前記補強部材２の一部で受け部１０ｃを形成してなるものである。
【０００８】
請求項３に記載の発明は、手袋本体１の所定箇所に、鉛筆、カッターあるいは手ばさみなどの作業用品Ｓの一部または全部を取出し自在に収納することのできる収納部１０を設けた作業手袋であって、前記収納部１０を、前記手袋本体１の上面に補強部材２を設けた所定箇所に二つの開孔部３を形成し、その開孔部３に略板状の収納部材片１１を挿通して固定して形成し、前記手袋本体１の二つの開孔部３の間部分で上部材１０ａを形成し、前記収納部材片１１で底板部材１０ｂを形成し、前記収納部材片１１または前記補強部材２の一部で受け部１０ｃを形成してなるものである。
【０００９】
請求項４に記載の発明は、手袋本体１の所定箇所に、鉛筆、カッターあるいは手ばさみなどの作業用品Ｓの一部または全部を取出し自在に収納することのできる収納部１０を設けた作業手袋であって、前記収納部１０を、前記手袋本体１の上面に補強部材２を設けた所定箇所に二つの開孔部３を形成し、その開孔部３に略板状の収納部材片１１を挿通した後、筒状に固定して形成し、前記収納部材片１１で上部材１０ａを形成し、前記二つの開孔部３の間部分で底板部材１０ｂを形成し、前記補強部材２の一部で受け部１０ｃを形成してなるものである。
【００１０】
請求項５に記載の発明は、手袋本体１の所定箇所に、鉛筆、カッターあるいは手ばさみなどの作業用品Ｓの一部または全部を取出し自在に収納することのできる収納部１０を設けた作業手袋であって、前記収納部１０を、前記手袋本体１の上面に補強部材２を設けた所定箇所に複数の開孔部３を形成し、その開孔部３に筒状の収納部材片１１を挿通して固定して形成し、前記収納部材片１１で上部材１０ａと底板部材１０ｂを形成し、前記収納部材片１１または補強部材２の一部で受け部１０ｃを形成してなるものである。
【００１１】
請求項６に記載の発明は、請求項１乃至５に記載の発明において、手袋本体１の上面に補強部材２を設けないでなるものである。補強部材２を設ける必要がないのは、例えば、手袋本体１が強靱な革製であり、十分な剛性を有する場合などである。
【００１２】
請求項７に記載の発明は、請求項１乃至６に記載の発明において、収納部１０の一部または全部を、弾力性に富み、滑り止め効果の高い材料で形成してなるものである。これらの材料としては、塩ビやゴムなどがある。
【００１３】
請求項８に記載の発明は、請求項１乃至７に記載の発明において、収納部１０の一部または全部に磁性を持たせてなるものである。磁性を持たせるには、収納部１０の一部または全部を磁性素材を有する材料で形成したり、部分的に磁性素材を混在させたり、あるいは、収納部１０に隣接して磁性素材を設けることによって行うことができる。
【発明の効果】
【００１４】
請求項１に記載の発明は、略筒状の収納部１０に鉛筆やカッターなどの作業用品Ｓを差し込むことによって容易に収納することができる。また、当該作業用品Ｓを引き抜くことによって容易に取り出すことができる。従って、他方の手に作業手袋を装着したままで、作業用品Ｓの収納および取出しを簡単に行うことができる。
【００１５】
また、この発明は、手袋本体１に開孔部３を形成し、その開孔部３に略板状の収納部材片１１を差し込んで固定して収納部１０を形成するので、例えば、単に、手袋本体１の上面に固着した場合と比較して、手袋本体１に絡ませた状態で固着できるので、当該収納部１０を手袋本体１から離脱させることなく強固に取付けることができる。また、収納部材片１１の両端部を開孔部３に差し込んで固定するので、当該固定部分を手袋本体１で覆い隠すことができ、見栄えにも優れる。さらに、補強部材２を設けているので、メリヤス手袋などの柔軟な手袋本体１に十分な強度を与えることができ、収納部１０を強靱なものとすることができる。またさらに、上部材１０ａの外側に補強部材２の一部で受け部１０ｃを形成しているので、例えば、鉛筆などの先端が鋭利な作業用品Ｓを収納する際に誤って手袋本体１に突き刺しても、補強部材２によって手を保護することができる。
【００１６】
請求項２に記載の発明は、請求項１に記載の発明と同様に、作業用品Ｓの収納および取出しを容易に行うことができる。また、収納部１０を、収納部材片１１の両端部を開孔部３に差し込んで固定して形成しているので、手袋本体１に強固に取付けることができると共に、見栄えに優れ、補強部材２によって収納部１０に十分な強度を与えることができ、また、手を効果的に保護することができる。さらに、この発明は、手袋本体１の二つの開孔部３の間部分で底板部材１０ｂを形成しているので、手袋本体１を有効利用することができ、収納部材片１１の材料を節減することができるといった特徴を有する。
【００１７】
請求項３に記載の発明は、請求項１および２に記載の発明と同様の効果を発揮することができる。また、手袋本体１の一部（二つの開孔部３の間部分）で、収納部１０の上部材１０ａを形成しているので、収納部１０が手袋本体１から外れてしまうといった事態を未然に防止することができる。
【００１８】
請求項４に記載の発明は、請求項１乃至３に記載の発明と同様の効果を発揮する。また、収納部１０を、収納部材片１１を二つの開孔部３に挿通した後、筒状に固定して形成しているので、当該収納部１０を、手袋本体１から離脱させることなく強固に取付けることができる。
【００１９】
請求項５に記載の発明も、請求項１乃至４に記載の発明と同様に、作業用品Ｓの収納および取出しが容易である等の効果を発揮する。また、収納部１０を、複数の開孔部３を形成し、その開孔部３に筒状の収納部材片１１を挿通して固定して形成しているので、当該収納部材片１１は複数の開孔部３の間部分によって保持され、よって、収納部１０を、手袋本体１から離脱させることなく強固に取付けることができるといった特徴を有する。
【００２０】
請求項６に記載の発明は、手袋本体１の上面に補強部材２を設けていないので、補強部材２の材料費の節約に貢献し、生産性の向上に繋がる。
【００２１】
請求項７に記載の発明は、収納部１０の一部または全部を弾力性に富み、滑り止め効果の高い材料で形成しているので、作業用品Ｓを、落下させることなく確実に保持することができる。また、その弾力性によって、作業用品Ｓの収納および取出しを、より行い易くすることができる。
【００２２】
請求項８に記載の発明は、収納部１０の一部または全部に磁性を持たせたので、手ばさみなどの鉄製の作業用品Ｓを収納すると、その磁力によっても当該作業用品Ｓを保持することができる。従って、作業用品Ｓをさらに強く保持することができる。
【発明を実施するための最良の形態】
【００２３】
本発明の第一実施形態を、図１および図２に示す。これは、手袋本体１の甲部に、鉛筆、カッターあるいは手ばさみなどの作業用品Ｓの一部を取出し自在に収納することのできる収納部１０を設けた作業手袋である。この手袋本体１は、メリヤス手袋の掌部にゴム等の補強シート４を設けたいわゆるゴム張り手袋である。
【００２４】
収納部１０は、手袋本体１の上面に補強シート４と同一材製の補強部材２を貼り付けた所定箇所に一つのスリット状の開孔部３を横方向に形成し、その開孔部３に略板状の収納部材片１１の両端部を差し込んで、手袋本体１内で折り返し、当該手袋本体１に固定して略筒状に形成している。なお、収納部材片１１は、その内面を補強部材２と同一ゴム材Ｇで形成し、その外面をメリヤスＭで形成しているが、その全体をゴム材Ｇで形成することもできる。また、収納部材片１１の手袋本体１に対する固定は、接着剤によって行っているが、これに代えて、補強シート４を熱加硫する際の熱によって、収納部材片１１内面のゴム材を、補強部材２に融着させて行うこともできるし、また、縫合などによって行うこともできる。
【００２５】
このようにして形成した本実施形態における収納部付き作業手袋は、収納部材片１１のみで上部材１０ａと底板部材１０ｂの両方を形成し、補強部材２の一部で受け部１０ｃを形成している。
【００２６】
この収納部付き作業手袋は、筒状の収納部１０に作業用品Ｓを押し込むようにして収納し、また、引き抜くことによって取り出すことができるので、他方の手に作業手袋を装着したままで容易に作業用品Ｓの収納および取出しを行うことができる。
【００２７】
また、収納部材片１１の両端部を開孔部３に挿入した後、折り返して手袋本体１に固定しているので、その取付けが強固であり、使用中に収納部材片１１が手袋本体１から外れてしてしまうといった事態を未然に防止することができる。さらに、収納部材片１１を手袋本体１の内部で固定しているので、見栄えに優れる。さらに、補強部材２を手袋本体１の上面に設けているので、収納部１０の剛性を高めることができる。また、補強部材２で受け部１０ｃを形成しているので、先端の鋭利な作業用品Ｓを誤って手袋本体１に突き刺したとしても、その上面に位置する当該補強部材２によって手を保護することができる。
【００２８】
本発明の第二実施形態を、図３および図４に示す。この作業手袋における手袋本体１も、メリヤス手袋の掌部にゴム製の補強シート４を貼り付けたゴム張り手袋である。この作業手袋の特徴は、その収納部１０を、手袋本体１の上面に補強部材２を設けた所定箇所に二つのスリット状の開孔部３を横方向に形成し、その開孔部３に略板状の収納部材片１１の両端部を差し込んで固定して形成したことである。そして、当該収納部材片１１で上部材１０ａを形成し、手袋本体１の二つの開孔部３の間部分で底板部材１０ｂを形成し、前記補強部材２の一部で受け部１０ｃを形成している。
【００２９】
この作業手袋においても、作業用品Ｓの収納および取出しが容易であり、また、収納部１０を強固に取付けることができ、見栄えや強度に優れ、受け部１０ｃによって手を保護することができる。また、手袋本体１の二つの開孔部３の間部分で底板部材１０ｂを形成し、収納部材片１１で上部材１０ａのみを形成しているので、当該上部材１０ａの材料を節減することができるといった利点がある。
【００３０】
本発明の第三実施形態を、図５および図６に示す。この作業手袋は、収納部１０を、手袋本体１の上面に補強部材２を設けた所定箇所に二つのスリット状の開孔部３を縦方向に形成し、その開孔部３に略板状の収納部材片１１を挿通して固定して形成し、手袋本体１の二つの開孔部３の間部分で上部材１０ａを形成し、収納部材片１１で底板部材１０ｂを形成し、収納部材片１１の一部で受け部１０ｃを形成したことを特徴としている。
【００３１】
この作業手袋は、第一実施形態および第二実施形態に記載の作業手袋と同様の効果を発揮することができると共に、手袋本体１の二つの開孔部３の間部分で上部材１０ａを形成しているので、収納部１０が手袋本体１から外れてしまうことがないといった大きな特徴を有する。
【００３２】
本発明の第四実施形態を、図７および図８に示す。この作業手袋は、収納部１０を、手袋本体１の上面に補強部材２を設けた所定箇所に二つのスリット状の開孔部３を横方向に形成し、その開孔部３に略板状の収納部材片１１を挿通した後、筒状に固定して形成しており、収納部材片１１で上部材１０ａを形成し、二つの開孔部３の間部分で底板部材１０ｂを形成し、補強部材２の一部で受け部１０ｃを形成したことを特徴としている。
【００３３】
この作業手袋は、第一乃至第三実施形態の作業手袋と同様の効果を発揮すると共に、収納部１０を、収納部材片１１を二つの開孔部３に挿通した後、筒状に固定して形成しているので、当該収納部１０が手袋本体１から離脱しないといった特徴を有する。
【００３４】
本発明の第五実施形態を、図９および図１０に示す。この作業手袋は、その収納部１０を、手袋本体１の上面に補強部材２を設けた所定箇所に四つのスリット状の開孔部３を形成し、その開孔部３に筒状の収納部材片１１を挿通して固定して形成し、収納部材片１１で上部材１０ａと底板部材１０ｂを形成し、収納部材片１１の一部で受け部１０ｃを形成したことを特徴としている。この筒状の収納部材片１１は、ゴムチューブ、織ゴム等の伸縮部材を用いて形成することができる。
【００３５】
この作業手袋は、第一乃至第四実施形態の作業手袋と同様に、作業用品Ｓの収納および取出しが容易であるといった特徴を有すると共に、収納部１０を、四つの開孔部３を形成し、その開孔部３に筒状の収納部材片１１を挿通して固定して形成しているので、当該収納部材片１１は複数の開孔部３の間部分によって保持される。従って、収納部１０を、手袋本体１から離脱させることなく、強固に取付けることができる。
【００３６】
なお、上記第一乃至第五実施形態においては、手袋本体１をメリヤス手袋で形成しているため、手袋本体１に補強部材２を設けて剛性を高めているが、手袋本体１を例えば革手袋で形成した場合には、それ自体が十分な剛性を有するので、補強部材２を必ずしも設ける必要がない。その場合、手袋本体１が収納部１０の底板部材１０ｂや受け部１０ｃを形成する。
【００３７】
また、上記実施形態においては、補強部材２を、ゴムや樹脂などの高分子材を貼り付けたり、塗布することによって形成している。また、収納部１０の一部または全部を、塩ビやゴム等の弾力性に富み、滑り止め効果の高い高分子材で形成し、作業用品Ｓの収納および取出しを、より行い易くし、かつ、作業用品Ｓを強固に保持できるようにしている。
【００３８】
また、上記いずれの実施形態においても、収納部１０の一部または全部に磁性を持たせることができる。これによって、鉄製などの作業用品Ｓを、弾力の他に、その磁力によっても保持することができる。
【００３９】
また、上記実施形態では、収納部１０を筒状に形成しているが、本発明はこれに限定されるものではなく、筒状の一端解放部を閉じた袋状に形成しても良いし、両端解放部を閉じて、その上面にスリット状の解放部を形成した形状にすることもできる。
【００４０】
さらに、上記いずれの実施形態においても、開孔部３はスリット状に形成したが、これに限定されるものではなく、円形や角形に形成することもできる。
【００４１】
また、収納部材片１１の全体をゴム材などで形成した場合、手袋本体１内に位置するゴム材が手に直接触れて違和感を感じることがないように、その部分に当て布等を設けることもできる。
【００４２】
さらに、本発明における作業手袋は、ゴム張り手袋や革手袋の他に、滑り止め手袋やディッピング手袋などの液状ポリマーを塗布した補強手袋にも適用することができる。この場合、収納部材片１１を伸縮布、ゴムチューブあるいは織ゴム等で形成して手袋本体１に接着や縫合で固定し、補強部材２を液状ポリマーを塗布し、あるいはそれに浸漬することによって形成することができる。
【００４３】
また、本発明において、収納部材片１１および補強部材２は、補強シート４と同じ材料で形成し、同時に熱加硫を行って成形することができるが、その場合、収納部材片１１と補強部材２との間に芯材Ｃを挿入しておくことによって、所定形状の収納部１０を容易に形成することができる（図１１参照）。
【００４４】
また、本発明においては、手袋本体１の掌部に貼り付けたゴム製等の補強シート４を、収納部材片１１を取付ける前に熱加硫することもできるが、その場合は、手袋本体１に貼り付けた補強部材２を補強シート４と同時に熱加硫しておき、その後、補強部材２を設けた部分に開孔部３を形成し、その開孔部３に、図１２に示すようなインジェクション成形によって所定形状に形成した収納部材片１１を嵌め込んで、接着や縫着、あるいは鳩目やホックによって固定することができる。この収納部材片１１は、高分子を絡ませた布片や、織ゴム等の伸縮性を有する素材で形成することができる。なお、鳩目やホックで固定する場合は、作業手袋を洗う場合等に自在に取り外すことができるので便利である。
【図面の簡単な説明】
【００４５】
【図１】本発明の第一実施形態を示す斜視図である。
【図２】図１のＩ−Ｉ線断面図である。
【図３】本発明の第二実施形態を示す斜視図である。
【図４】図３のII−II線断面図である。
【図５】本発明の第三実施形態を示す斜視図である。
【図６】図５のIII−III線断面図である。
【図７】本発明の第四実施形態を示す斜視図である。
【図８】図７のIV−IV線断面図である。
【図９】本発明の第五実施形態を示す斜視図である。
【図１０】図９のＶ−Ｖ線断面図である。
【図１１】本発明に係る作業手袋を製造する工程を示すもので、（ａ）は板状の収納部材片を使用した場合を示す斜視図であり、（ｂ）は筒状の収納部材片を使用した場合を示す斜視図である。
【図１２】本発明における収納部を示すもので、（ａ）はスリット状の開孔部に取付けるものを示す斜視図であり、（ｂ）は円形の開孔部に取付けるものを示す斜視図であり、（ｃ），（ｄ）は二つのスリット状の開口部を横方向に形成した手袋本体に取付ける収納部を示す斜視図である。
【符号の説明】
【００４６】
１          手袋本体
２          補強部材
３          開孔部
４          補強シート
１０        収納部
１０ａ      上部材
１０ｂ      底板部材
１０ｃ      受け部
１          収納部材片
Ｃ          芯材
Ｇ          ゴム材
Ｍ          メリヤス
Ｓ          作業用品
【図１】
2006193845.tif 000003
【図２】
2006193845.tif 000004
【図３】
2006193845.tif 000005
【図４】
2006193845.tif 000006
【図５】
2006193845.tif 000007
【図６】
2006193845.tif 000008
【図７】
2006193845.tif 000009
【図８】
2006193845.tif 000010
【図９】
2006193845.tif 000011
【図１０】
2006193845.tif 000012
【図１１】
2006193845.tif 000013
【図１２】
2006193845.tif 000014